(57)【特許請求の範囲】
【請求項１】
規定幅未満の狭幅のカードの誤挿入を阻止する誤挿入防止機構が備えられているカードコネクタであって、
複数のコンタクトが備えられたボディと、このコンタクトにカードを導く導入空間を隔ててボディと対向する位置に配置される主壁体とを備えると共に、このコンタクトが備えられるベース部のカード挿入方向で上手側の端部に挿入阻止壁が形成され、
前記誤挿入防止機構として、その幅方向での中央の基端部が前記主壁体の側に配置され、かつ、先端部が前記導入空間の方向に張り出す規制板が備えられ、
この規制板は、弾性変形により前記先端部が揺動自在に支持され、この規制板の幅方向での両端部には、このカードコネクタに挿入される規定幅のカードの幅方向での両端部に接触して変位することで規制板の先端部を前記カードから離間する位置まで揺動させる接当片が形成され、
前記規制板が前記導入空間の方向に張り出した状態において、当該規制板を当該導入空間側に延長すると、前記挿入阻止壁と交差するように構成されているカードコネクタ。
【請求項２】
前記主壁体として、前記ボディに連結するカバーが備えられ、このカバーにスリットを形成することにより、基端部の一部がカバーに支持され、先端部がカバーから切り離される前記規制板が形成されている請求項１記載のカードコネクタ。
【請求項３】
規定幅未満の狭幅のカードの誤挿入を阻止する誤挿入防止機構が備えられているカードコネクタであって、
複数のコンタクトが備えられたボディと、このコンタクトにカードを導く導入空間を隔ててボディと対向する位置に配置される主壁体とを備えると共に、このコンタクトが備えられるベース部のカード挿入方向で上手側の端部に挿入阻止壁が形成され、
前記誤挿入防止機構として、その幅方向での中央の基端部が前記主壁体の側に配置され、かつ、先端部が前記導入空間の方向に張り出す規制板が備えられ、
この規制板は、弾性変形により前記先端部が揺動自在に支持され、この規制板の幅方向での両端部には、このカードコネクタに挿入される規定幅のカードの幅方向での両端部に接触して変位することで規制板の先端部を前記カードから離間する位置まで揺動させる接当片が形成され、
前記主壁体として、前記ボディに連結するカバーが備えられ、このカバーにスリットを形成することにより、基端部の一部がカバーに支持され、先端部がカバーから切り離される前記規制板が形成され、
前記規制板の基端部を前記カードの表面から離間させる方向に湾曲させているカードコネクタ。
【請求項４】
前記接当片に、前記導入空間の方向に突出することで前記規定幅のカードの幅方向での端部に接触する突出部が形成されている請求項１〜３のいずれか１項に記載のカードコネクタ。
【発明の詳細な説明】
【技術分野】
【０００１】
本発明は、規定幅未満の狭幅のカードの誤挿入を阻止する誤挿入防止機構が備えられているカードコネクタの改良に関する。
【背景技術】
【０００２】
上記のように構成されたカードコネクタとしては特許文献１及び特許文献２に記載されるものが存在する。特許文献１には、コネクタ本体１１に被せられるカバー部材２０の幅方向での中央位置に誤挿入防止ばね２１が切り起こし片として形成され、ＣＦカードを縦長位置でコネクタ本体１１に挿入した場合には、誤挿入防止ばね２１がＣＦカードの上面に接触してカード挿入平面から変位させ、このＣＦカードがコンタクト群１４に到達するのを防止する。
【０００３】
特許文献２では、カードＣ１が挿入される開口４より内部側に横向きの軸芯周りで回動自在にシャッタ部材１３が支持されている。このシャッタ部材１３にはカードＣ１の挿入を阻止するシャッタ部１５が一体形成され、このシャッタ部１５は閉じ姿勢に維持するようにばね付勢されている。シャッタ部１５の幅方向での両端位置に配置されたストッパ部材２０Ａ、２０Ｂが縦軸芯周りで回動自在に支持され、このストッパ部材２０Ａ、２０Ｂにはシャッタ部１５の背面に接当する係止部２３Ａ、２３Ｂが形成されている。
【０００４】
ストッパ部材２０Ａ、２０Ｂは捩りばね２６Ａ、２６Ｂによってシャッタ部１５の回動を阻止する姿勢に維持され、開口４から規定幅のカードＣ１が挿入された場合には、このカードＣ１の両端部がストッパ部材２０Ａ、２０Ｂの当接部２２Ａ、２２Ｂに当接し、夫々のストッパ部材２０Ａ、２０Ｂを回動させ、係止部２３Ａ、２３Ｂをシャッタ部１５の背面から離間させる。この状態に達することによりシャッタ部１５はカードＣ１からの挿入方向への力により開放し、カードＣ１の挿入が許される。
【０００５】
これとは逆に規定幅より小さいカードを挿入しようとした場合には、ストッパ部材２０Ａ、２０Ｂが回動することはなく、シャッタ部１５は閉じ姿勢に維持され、このカードの挿入が防止される。
【０００６】
【特許文献１】特開２００２‐２１６９０５号公報  （段落番号〔０００７−００１１〕、図１〜図３）
【特許文献２】特開２００６‐６６３１０号公報  （段落番号〔００２４−００３９〕、図１〜図９）
【発明の開示】
【発明が解決しようとする課題】
【０００７】
特許文献１では、誤挿入防止ばねで誤挿入防止機構が構成されているため単純な構造でありながらカードの誤挿入を防止する反面、この誤挿入防止ばねは、適正な姿勢でカードを挿入した場合にも、カードの表面に接触するためカードのラベル面を傷める不都合があった。
【０００８】
特許文献２では、カードの誤挿入を防止するものの、構造が複雑であるため組み立てが困難な面があり、しかも、この特許文献２では規定幅のカードが挿入された場合にはシャッタ部がカードの表面に接触するため、特許文献１の不都合と同様にカードのラベル面を傷めることが考えられた。
【０００９】
多様なサイズのカードが使用される現状を考えると、カードコネクタにおいて規定幅未満の狭幅のカードの誤挿入を阻止する誤挿入防止機構は必須と云えるものである。しかしながら、カードのラベルを傷める構成は避けたいものであり、また、構造の複雑化も避けたいものである。
【００１０】
本発明の目的は、規定幅未満の狭幅のカードの誤挿入を阻止しながら、規定幅のカードが挿入された場合にはラベル面を傷めることないカードコネクタを合理的に構成する点にある。
【課題を解決するための手段】
【００１１】
本発明の特徴は、規定幅未満の狭幅のカードの誤挿入を阻止する誤挿入防止機構が備えられているカードコネクタであって、
複数のコンタクトが備えられたボディと、このコンタクトにカードを導く導入空間を隔ててボディと対向する位置に配置される主壁体とを備えると共に、このコンタクトが備えられるベース部のカード挿入方向で上手側の端部に挿入阻止壁が形成され、前記誤挿入防止機構として、その幅方向での中央の基端部が前記主壁体の側に配置され、かつ、先端部が前記導入空間の方向に張り出す規制板が備えられ、この規制板は、弾性変形により前記先端部が揺動自在に支持され、この規制板の幅方向での両端部には、このカードコネクタに挿入される規定幅のカードの幅方向での両端部に接触して変位することで規制板の先端部を前記カードから離間する位置まで揺動させる接当片が形成され、前記規制板が前記導入空間の方向に張り出した状態において、当該規制板を当該導入空間側に延長すると、前記挿入阻止壁と交差するように構成されている点にある。
【００１２】
この構成により、狭幅のカードを誤って挿入した場合には、そのカードが規制板に接触することにより主壁体から離間する方向に送られ、挿入阻止壁に接当するため、カードがコンタクトの部位に達することがない。また、規定幅のカードを挿入した場合には、そのカードの幅方向での両端部が、規制板の接当片に接当し、この接当片からの変位力によって規制板の先端をカードから離間させる方向に変位させるため、規制板の先端部がカードの表面に接触する不都合を回避しながら、そのカードを導入空間に沿って送り込むことが可能となる。従って、規定幅未満の狭幅のカードの誤挿入を阻止しながら、規定幅のカードが挿入された場合にはラベル面を傷めることないカードコネクタが単純で製造しやすい形態で構成された。
【００１３】
本発明は、前記主壁体として、前記ボディに連結するカバーが備えられ、このカバーにスリットを形成することにより、基端部の一部がカバーに支持され、先端部がカバーから切り離される前記規制板が形成されても良い。この構成によると、例えば、カバーのプレス加工でスリットを形成することにより、特別に規制板を備えずとも容易に規制板を形成できる。
【００１４】
本発明の特徴は、規定幅未満の狭幅のカードの誤挿入を阻止する誤挿入防止機構が備えられているカードコネクタであって、
複数のコンタクトが備えられたボディと、このコンタクトにカードを導く導入空間を隔ててボディと対向する位置に配置される主壁体とを備えると共に、このコンタクトが備えられるベース部のカード挿入方向で上手側の端部に挿入阻止壁が形成され、前記誤挿入防止機構として、その幅方向での中央の基端部が前記主壁体の側に配置され、かつ、先端部が前記導入空間の方向に張り出す規制板が備えられ、この規制板は、弾性変形により前記先端部が揺動自在に支持され、この規制板の幅方向での両端部には、このカードコネクタに挿入される規定幅のカードの幅方向での両端部に接触して変位することで規制板の先端部を前記カードから離間する位置まで揺動させる接当片が形成され、前記主壁体として、前記ボディに連結するカバーが備えられ、このカバーにスリットを形成することにより、基端部の一部がカバーに支持され、先端部がカバーから切り離される前記規制板が形成され、前記規制板の基端部を前記カードの表面から離間させる方向に湾曲させている点にある。この構成によると、規制板の先端部がカードから離間するように姿勢が変化した場合に規制板の基端部がカードの方向に張り出す現象を抑制し、この基端部とカード表面との接触を回避できる。
【００１５】
本発明は、前記接当片に、前記導入空間の方向に突出することで前記規定幅のカードの幅方向での端部に接触する突出部を形成しても良い。この構成によると、突出部にカードが接当した際に規制板を大きく持ち上げ、先端部がカード表面に接触する不都合を良好に回避する。
【発明を実施するための最良の形態】
【００１６】
以下、本発明の実施形態を図面に基づいて説明する。
〔全体構成〕
図１〜図５に示すように、複数のコンタクト１を有したボディＢと、このボディＢを覆う主壁体としてのカバーＣとを備えると共に、ボディＢに対してカード挿抜方向に沿ってイジェクト位置Ｅｊ及びロック位置Ｌｏ（図３、図４を参照）の間でスライド作動自在に備えられたスライダーＳと、前記スライダーＳをロック位置Ｌｏに保持するロック機構Ｌとを備え、規定幅未満の狭幅のカードＭの誤挿入を阻止する誤挿入防止機構としての規制板ＲをカバーＣに備えてカードコネクタが構成されている。
【００１７】
このカードコネクタは、デジタルカメラや携帯電話機、あるいは、携帯情報端末（ＰＤＡ）等の機器に備えられるものであり、これらに機器に対してフラッシュメモリ型の記憶媒体としてスマートメディア（商標) やメモリースティック（商標) 、あるいは、ＳＤカード（商標）で代表されるカードＭや、小型のハードディスクとしてマイクロドライブ（商標）で代表されるカードＭの装着と分離とを実現するものである。
【００１８】
このカードコネクタはどのような姿勢でも使用し得るものであるが、図１に示す姿勢に対応してボディＢを下側に、カバーＣを上側として説明する。これに従い、図２に示す如く、カードＭのラベルが貼着された面を上面とし、これの反対側で複数の電極が形成された面を下面として説明する。
【００１９】
ボディＢは、電気的に絶縁性の樹脂の成形物であり、複数のコンタクト１を備えたベース部２と、カードＭの幅方向での両端部において上方に向けて立設された側壁部３と、この一対の側壁部３とベース部２とに下側で連なる水平姿勢の底壁部４が一体的に形成されている。また、一対の側壁部３のうち一方の内側部分には支持ブロック５が形成され、この支持ブロック５に対してスライダーＳがカードＭの挿抜方向にスライド移動自在に支持されている。特に、ベース部２のうちカード挿入方向での上手側の端部にはカード挿入方向に直交する姿勢の挿入阻止壁２Ｓが形成されている。また、コンタクト１は、銅合金等の導電性の金属で形成されている。
【００２０】
カバーＣは、アルミニウム合金や、銅合金の薄板のように加工が比較的容易で適度の剛性を有し、弾性変形し得る金属素材のプレス成形物である。このカバーＣは、ボディＢとの間に導入空間Ｔを挟んでボディＢと対向配置されるカバー本体１０と、ボディＢの側壁部３の外面を覆う位置に配置される側壁体１１とを有している。
【００２１】
側壁体１１にはボディＢの側壁部３の外面に突出形成された係止片３Ａが嵌り込む複数の係止孔１１Ａが形成されている。カバー本体１０には、スリット１０Ｓによって基端側の一部がカバー本体１０に連なり、先端側がカバー本体１０から切り離された規制板Ｒ（詳細は後述する）と、カム溝２３（図３、図４を参照）に挿入されるピン２５に押圧方向に付勢力を作用させるようにスリットによって一部を残して切り離された舌片状の押圧板１３とが形成されている。
【００２２】
このカードコネクタに挿入される適正なカードＭは、図２に示すように規定幅を有すると共に、上面ＭＴにラベルＭＬが貼着され、下面ＭＢにおいて挿入方向での先端側には前記コンタクト１に接触して導通状態に達する複数の電極Ｐが並列的に備えられている。尚、電極Ｐは下面ＭＢより上方に少し変位した支持面に備えられ、この支持面と下面ＭＢとのレベル差は、挿入阻止壁２Ｓの部位において、底壁部４と挿入阻止壁２Ｓの上端までのレベル差に等しい値に設定されている。
【００２３】
また、幅方向での一方の端部の下面側には凹部Ｍｘが形成され、挿入方向での先端側の角部には誤った姿勢での挿入を防止する姿勢判別ように切欠部Ｍｙが形成されている。
【００２４】
〔スライダーとロック機構〕
図３（ａ）、図４（ａ）に示すように、スライダーＳは樹脂材製のスライダー本体２０と、カードＭの切欠部Ｍｙに接触するようにボディ内部方向に突出する接当部２１と、カードＭの側面の凹部Ｍｘに嵌り込むようにバネ材で成る係合体２２とを備えている。また、スライダー本体２０は、ボディＢの支持ブロック５に形成された溝状のガイド部に対してスライド移動自在に支持され、スライダー本体２０の上面にはハートカム構造を有するカム溝２３が形成さている。
【００２５】
また、スライダー本体２０とボディＢのベース部側との間には圧縮コイルバネ２４が備えられ、この圧縮コイルバネ２４はスライダー本体２０をイジェクト位置Ｅｊの方向に付勢する。更に、支持ブロック５のカード挿入方向で上手側の部位の孔部５Ａとカム溝２３とに亘ってピン２５が配置されている。
【００２６】
ピン２５はピアノ線を「コ」字状に屈曲成形した形状であり、一方の端部を孔部５Ａに挿入し、他方の端部をカム溝２３に挿入する形態で配置されている。このピン２５は、カバーＣに舌片状に形成された押圧板１３が上方から接触することでカム溝２３からの浮き上がりが規制されている。
【００２７】
そして、適正なカードＭが挿入された場合には、圧縮コイルバネ２４の付勢力に抗してカードＭと一体的にスライダー本体２０が移動し、挿入端に達した後に操作力を解除した場合にはピン２５の端部がカム溝２３のロック位置に達することで、図４に示す如く、ピン２５がイジェクト位置Ｅｊへの移動を阻止し、スライダー本体２０をロック位置Ｌｏに保持する。このロック位置ＬｏではカードＭの複数の電極ＰとボディＢの複数のコンタクト１とが接触して導通状態に達する。
【００２８】
この後、カードＭを挿入方向に押し込み操作した場合にはピン２５の端部がロック位置から離脱し、図３に示す如く、圧縮コイルバネ２４の付勢力によってカードＭと一体的にスライダー本体２０がイジェクト位置Ｅｊまで移動し、カードＭの取出を実現する。
【００２９】
このようにハートカム構造のカム溝２３とピン２５とによって構成されるロック機構Ｌは、例えば、特開２００１−２６７０１３号公報や、特開２００４−１７８９０３号公報に示されるように周知技術であるため、カム溝２３の構造やロック時やロック解除時におけるピン２５の作動形態の詳細は省略する。
【００３０】
〔規制板〕
規制板Ｒは、カード挿入方向での上手側の基端部１４と、カード挿入方向での下手側の先端部１５と、規定幅のカードＭの幅方向での両端部に接触して上方に変位する接当片１６とが一体形成されると共に、スリット１０Ｓの形状の設定により、基端部１４を挟む２箇所の接続体１７によってカバー本体１０に接続している。
【００３１】
また、規制板Ｒは、先端部１５が底壁部４の方向に向かうように斜め姿勢に設定され、また、基端部１４はカードの表面から離間させる方向に湾曲成形することで湾曲面１４Ｓが形成されている。
【００３２】
接当片１６は、カード挿入方向で基端部１４と先端部１５との中間位置に配置され、下面側には導入空間Ｔの方向（下方向）に突出することによりカードＭの両端部の上面に接触する突出部１６Ａが形成されている。この突出部１６Ａはプレス成形によって形成されるものであり、カードＭの両側部の上面に接触した場合には規制板Ｒの先端部１５を上方に持ち上げる力を規制板Ｒに作用させ、図５に示す如く、接続体１７を弾性変形させると同時に接当片１６が弾性変形することにより、この規制板Ｒを全体的にカードＭの上面から離間させるように揺動させる。
【００３３】
特に、このように弾性変形によって規制板Ｒの先端部１５を上方に揺動させた場合には、基端部１４がカードＭの上方に少し接近するものとなり、この状態で基端部１４の端部がカードＭの上面に接触しないように湾曲成形により湾曲面１４Ｓが形成されている。
【００３４】
これとは逆に、カードコネクタに対して規定幅未満の狭幅のカードｍを挿入した場合には、図６、図７に示す如く、規制板Ｒの先端部１５が導入空間Ｔの内部に位置するため、カードｍの先端が規制板Ｒに接触して底壁部４の方向に案内され、このカードｍの先端は挿入阻止壁２Ｓと接触する位置に達して挿入不能となる。これにより狭幅のカードｍがコンタクト１と接触する位置まで誤って挿入されることはない。
【００３５】
〔カードの挿抜〕
このような構成から、スライダーＳがイジェクト位置Ｅｊにある状況で適正なカードＭを導入空間Ｔに挿入した場合には、まず、カードＭの凹部Ｍｘに対してスライダー本体２０の係合体２２が係合してカードＭの脱落を防止する状態に達し、挿入を継続することにより、カードＭの切欠部Ｍｙの部位がスライダー本体２０の接当部２１に接当した状態で、カードＭとスライダーＳとが一体的に挿入方向に移動する。
【００３６】
このようにカードＭを導入空間Ｔに挿入した場合には、カードＭの幅方向での両端部の上面に対して規制板Ｒの接当片１６の突出部１６Ａが接触して規制板Ｒの先端部１５を上方に揺動させることにより、この規制板Ｒの先端部１５がカードＭの上面から離間する位置まで持ち上げられ、この規制板Ｒの先端部１５がカードＭのラベル面に接触してレベル面を傷つける不都合が抑制される。
【００３７】
このように規制板Ｒの先端部１５が上方に向けて揺動した場合には、基端部１４が少し下方に変位することから、この基端部１４がカードＭの上方に少し接近するものの、基端部１４の端部に湾曲面１４Ｓが形成されているので、この基端部１４がカードＭの上面に接触する不都合が回避される。
【００３８】
また、スライダーＳの移動限界まで押し込み操作した後に、押し込み力を解除した場合には、前述したようにロック機構Ｌを構成するハートカム構造のカム溝２３に対するピン２５の位置がスライダーＳの移動を阻止する位置に達し（ロック機構Ｌがロック状態となり）、スライダー本体２０とともにカードＭがロック位置Ｌｏに保持される。
【００３９】
次に、カードＭを再度押し込み方向に操作することにより、ハートカム構造のカム溝２３に対するピン２５の位置がスライダーＳの移動を許す位置に達し（ロック機構Ｌのロック状態が解除され）、圧縮コイルバネ２４の付勢力によりスライダー本体２０とともにカードＭがイジェクト位置Ｅｊの位置まで押し出されカードＭの取り出しが可能となる。
【００４０】
また、規定幅未満の狭幅のカードｍを挿入した場合には、前述したように、カードｍの先端が規制板Ｒに接触して底壁部４の方向に案内され、このカードｍの先端は挿入阻止壁２Ｓと接触する位置に達して挿入不能となる。これにより狭幅のカードｍがコンタクト１と接触する位置まで誤って挿入されることはない。
【図面の簡単な説明】
【００４１】
【図１】カードコネクタとカードとを示す斜視図
【図２】カードの形状を示す図
【図３】カードコネクタのボディを示す横断平面図及び規制板を示す縦断面図
【図４】カード挿入状態でのカードコネクタの横断平面図及び縦断面図
【図５】カード挿入過程での規制板の接当片の部位を拡大した平面図及び縦断面図
【図６】狭幅のカード挿入過程での規制板の部位の平面図及び縦断面図
【図７】狭幅のカード挿入時の規制板の部位の平面図及び縦断面図
【符号の説明】
【００４２】
１            コンタクト
２            ベース部
２Ｓ          挿入阻止壁
１０Ｓ        スリット
１４          基端部
１５          先端部
１６          接当片
１６Ａ        突出部
Ｂ            ボディ
Ｃ            主壁体・カバー
Ｍ            カード
Ｒ            誤挿入防止機構・規制板
Ｔ            導入空間
【図１】
0005073584.tif 000002
【図２】
0005073584.tif 000003
【図３】
0005073584.tif 000004
【図４】
0005073584.tif 000005
【図５】
0005073584.tif 000006
【図６】
0005073584.tif 000007
【図７】
0005073584.tif 000008